(57)【要約】【課題】光通信のための方法、システム、および装置を提供する。【解決手段】１つの装置は、Nユニットの1×nスプリッターに結合された複数の入口ポートであって、各々の1×nスプリッターは、複数のクロスコネクト入口分岐と、ドロップ分岐と、を含む、複数の入口ポートと、Nユニットのn×1結合器に結合された複数の出口ポートであって、各々のn×1結合器は、複数のクロスコネクト出口分岐と、アド分岐と、を含む、複数の出口ポートと、入口の1×nスプリッターからの各々の分岐が各々のn×1結合器の分岐にリンクされるように、入口分岐と出口分岐との間のクロスコネクトを提供するM×M’ファイバーシャッフルと、N×n個の波長ブロッカーユニットを備える波長ブロッカーアレイであって、n≧Nであり、各々の波長ブロッカーユニットがM×M’ファイバーシャッフルのファイバーに結合された、波長ブロッカーアレイと、を含む。【選択図】図１Ａ
2015171155.tif 000002
【特許請求の範囲】
【請求項１】
Nユニットの1×nスプリッターに結合された複数の入口ポートであって、各々の1×nスプリッターは、複数のクロスコネクト入口分岐と、ドロップ分岐と、を含む、複数の入口ポートと、
Nユニットのn×1結合器に結合された複数の出口ポートであって、各々のn×1結合器は、複数のクロスコネクト出口分岐と、アド分岐と、を含む、複数の出口ポートと、
入口の1×nスプリッターからの各々の分岐が各々のn×1結合器の分岐にリンクされるように、前記入口分岐と前記出口分岐との間のクロスコネクトを提供するM×M’ファイバーシャッフルと、
N×n個の波長ブロッカーユニットを備える波長ブロッカーアレイであって、n≧Nであり、各々の波長ブロッカーユニットが前記M×M’ファイバーシャッフルのファイバーに結合された、波長ブロッカーアレイと、
を備える装置。
【請求項２】
各々の波長ブロッカーユニットが、対応する入口分岐に結合された入力ポートと、前記M×M’ファイバーシャッフルのファイバーに結合された出力ポートと、を含むように、各々の波長ブロッカーユニットが前記1×nスプリッターのうちの１つの入口分岐に光学的にも結合されるように、前記波長ブロッカーアレイが配置された請求項１に記載の装置。
【請求項３】
各々の波長ブロッカーユニットは、前記Nユニットの1×nスプリッターの前記ドロップ分岐に結合された入力ポートを含む前記請求項２に記載の装置。
【請求項４】
各々の波長ブロッカーユニットが、前記M×M’ファイバーシャッフルのファイバーに結合された入力ポートと、対応する出口分岐に結合された出力ポートと、を含むように、各々の波長ブロッカーユニットが前記n×1結合器のうちの１つの出口分岐に光学的にも結合されるように、前記波長ブロッカーアレイが配置された請求項１に記載の装置。
【請求項５】
各々の波長ブロッカーユニットは、前記Nユニットのn×1結合器の前記アド分岐に結合された入力ポートを含む請求項４に記載の装置。
【請求項６】
各々の波長ブロッカーユニットは、入力波長チャネルを選択的に、通過させる、ブロックする、または、減衰させるように構成された請求項１に記載の装置。
【請求項７】
前記M×M’ファイバーシャッフルに結合された第２の波長ブロッカーアレイをさらに備える請求項１に記載の装置。
【請求項８】
前記波長ブロッカーアレイは、前記Nユニットの1×nスプリッターの前記ドロップ分岐に結合され、前記第２の波長ブロッカーアレイは、前記Nユニットのn×1結合器の前記アド分岐に結合された請求項７に記載の装置。
【請求項９】
各々のドロップ分岐は複数の方路ドロップポートのうちの１つに結合された請求項１に記載の装置。
【請求項１０】
前記複数の方路ドロップポートは、ツインマルチキャストスイッチに結合され、特定の方路ドロップポートから受信される波長チャネルは、前記ツインマルチキャストスイッチによって前記n×1結合器のうちの１つまたは複数のアド分岐に結合された方路アドポートに選択的にアドされる請求項９に記載の装置。
【請求項１１】
各々のスプリッターは１つまたは複数の入力波長チャネルを各々の分岐に分離するように構成され、前記M×M’ファイバーシャッフルを通して１つまたは複数の選択された出口ポートに結合された特定の分岐の特定の波長チャネルは、前記波長ブロッカーアレイを通過することを許可される請求項１に記載の装置。
【請求項１２】
MまたはM’のうちの１つまたは複数はN2に等しい請求項１に記載の装置。
【請求項１３】
N個の1×2入口タップカプラーであって、各々の入口タップカプラーのタップされた分岐は方路ドロップに結合され、N＞1である、N個の1×2入口タップカプラーと、
N個の波長ブロッキングユニットを有する波長ブロッカーアレイであって、各々の波長ブロッキングユニットは前記N個の1×2入口タップカプラーのうちの対応する１つに結合された、波長ブロッカーアレイと、
N個の2×1出口タップカプラーであって、各々の出口タップカプラーのタップされた分岐は方路アドに結合された、N個の2×1出口タップカプラーと、
前記波長ブロッカーアレイと前記N個の2×1出口タップカプラーとの間に結合された波長選択型クロスコネクト(WSX)アレイであって、複数の独立にスイッチされる2×2 WSXスイッチを備える、WSXアレイと、
を備える装置。
【請求項１４】
各々の波長ブロッキングユニットは、対応する入口タップカプラーに結合された入力ポートと、特定の2×2 WSXスイッチの入力ポートに結合された出力ポートと、を含む請求項１３に記載の装置。
【請求項１５】
各々のWSXスイッチは2個の入力ポートと2個の出力ポートとを含み、各々のWSXスイッチはバー状態とクロス状態との間でスイッチするように独立に制御可能であり、各々のスイッチ状態はどの入力ポートがどの出力ポートに結合されるかを決定する請求項１３に記載の装置。
【請求項１６】
前記WSXアレイについての特定のスイッチ設定に基づいて、前記WSXアレイの第１の2×2 WSXスイッチに入力される波長チャネルは、一連の2×2 WSXスイッチを通して、指定された出口タップカプラーにルーティングされる請求項１３に記載の装置。
【請求項１７】
前記WSXアレイは8個の2×2 WSXスイッチを含む請求項１３に記載の装置。
【請求項１８】
前記WSXアレイは24個の2×2 WSXスイッチを含む請求項１３に記載の装置。
【請求項１９】
異なる入口タップカプラーから受信される同じ波長チャネルは、前記WSXアレイによって同時に異なる出口タップカプラーにルーティングされる請求項１３に記載の装置。
【請求項２０】
特定の入口タップカプラーにおいて入力される波長チャネルは、第１の出口タップカプラーにルーティングされ、同じ波長チャネルは、方路アドポートからアドされ、第２の出口タップカプラーにルーティングされ得る請求項１３に記載の装置。
【請求項２１】
複数の入口ポートと、
複数の波長ブロッキングユニットを有する波長ブロッカーアレイであって、各々の波長ブロッキングユニットは前記複数の入口ポートのうちの対応する１つに結合された、波長ブロッカーアレイと、
複数の出口ポートと、
複数の方路ドロップポートと、
複数の方路アドポートと、
2×2の複数倍の個数の独立にスイッチされる2×2波長選択型クロスコネクトスイッチを備える波長選択型クロスコネクト(WSX)アレイであって、前記波長ブロッカーアレイ、前記複数の出口ポート、前記複数の方路ドロップポート、および、前記複数の方路アドポートに結合された、WSXアレイと、
を備える装置。
【請求項２２】
各々の波長ブロッキングユニットは、対応する入口ポートに結合された入力ポートと、特定の2×2 WSXスイッチの入力ポートに結合された出力ポートと、を含む請求項２１に記載の装置。
【請求項２３】
各々のWSXスイッチは2個の入力ポートと2個の出力ポートとを含み、各々のWSXスイッチはバー状態とクロス状態との間でスイッチするように独立に制御可能であり、各々のスイッチ状態はどの入力ポートがどの出力ポートに結合されるかを決定する請求項２１に記載の装置。
【請求項２４】
前記WSXアレイについての特定のスイッチ設定に基づいて、前記WSXアレイの第１の2×2 WSXスイッチに入力される波長チャネルは、一連の2×2 WSXスイッチを通して、指定された出口ポートにルーティングされる請求項２１に記載の装置。
【請求項２５】
前記WSXアレイは16個の2×2 WSXスイッチを含む請求項２１に記載の装置。
【請求項２６】
異なる入口ポートから受信される同じ波長チャネルは、前記WSXアレイによって同時に異なる出口ポートにルーティングされる請求項２１に記載の装置。
【請求項２７】
第１の入口ポートから前記WSXアレイにおいて受信される波長チャネルは、方路ドロップポートにルーティングされ、方路アドポートにおいて受信される同じ波長チャネルは、前記WSXアレイによって特定の出口ポートにルーティングされる請求項２１に記載の装置。
【請求項２８】
第１の入口ポートから前記WSXアレイにおいて受信される波長チャネルは、前記WSXアレイのスイッチ設定に応じて、前記方路ドロップポートのうちのいずれか１つに選択的にルーティングされる請求項２１に記載の装置。
【請求項２９】
前記入口ポートのいずれかから前記WSXアレイにおいて受信される波長チャネルは、同じ方路ドロップポートに選択的にルーティングされる請求項２１に記載の装置。
【請求項３０】
第１の方路アドポートから前記WSXアレイにおいて受信される波長チャネルは、前記WSXアレイのスイッチ設定に応じて、前記出口ポートのうちのいずれか１つに選択的にルーティングされる請求項２１に記載の装置。
【請求項３１】
複数の方路ドロップポートと、
複数の方路アドポートと、
複数のアドポートと、
複数のドロップポートと、
2×2の複数倍の個数の独立にスイッチされる2×2波長選択型クロスコネクトスイッチを備える波長選択型クロスコネクト(WSX)アレイであって、前記複数の方路ドロップポート、前記複数の方路アドポート、前記複数のドロップポート、および、前記複数のアドポートに結合された、WSXアレイと、
を備える装置。
【発明の詳細な説明】
【技術分野】
【０００１】
本明細書は光通信に関する。
【背景技術】
【０００２】
従来のROADM(reconfigurable optical add-drop multiplexer)は、波長選択型スイッチを追加で提供する光アド・ドロップ多重化器の形態である。これは、特定の波長チャネルが、光信号としてファイバーからアド(add)またはドロップ(drop)されることを提供する。ROADMは、典型的には、多数の波長選択型スイッチを含む。波長選択型スイッチは、例えば光ファイバーにおける任意の波長を有する光信号が、一方の光ファイバーからもう一方に選択的にスイッチされることを可能とするスイッチである。
【発明の概要】
【課題を解決するための手段】
【０００３】
概して、本明細書に記載された発明の一態様は、Nユニットの1×nスプリッターに結合された複数の入口ポートであって、各々の1×nスプリッターは、複数のクロスコネクト入口分岐と、ドロップ分岐と、を含む、複数の入口ポートと、Nユニットのn×1結合器に結合された複数の出口ポートであって、各々のn×1結合器は、複数のクロスコネクト出口分岐と、アド分岐と、を含む、複数の出口ポートと、入口の1×nスプリッターからの各々の分岐が各々のn×1結合器の分岐にリンクされるように、前記入口分岐と前記出口分岐との間のクロスコネクトを提供するM×M’ファイバーシャッフルと、N×n個の波長ブロッカーユニットを備える波長ブロッカーアレイであって、n≧Nであり、各々の波長ブロッカーユニットが前記M×M’ファイバーシャッフルのファイバーに結合された、波長ブロッカーアレイと、を含む装置において例示され得る。この態様の他の実施例は、対応するシステムおよび方法を含む。
【０００４】
これらのおよび他の実施例は、それぞれ任意選択で次の特徴のうちの１つまたは複数を含み得る。各々の波長ブロッカーユニットが、対応する入口分岐に結合された入力ポートと、前記M×M’ファイバーシャッフルのファイバーに結合された出力ポートと、を含むように、各々の波長ブロッカーユニットが前記1×nスプリッターのうちの１つの入口分岐に光学的にも結合されるように、前記波長ブロッカーアレイが配置される。各々の波長ブロッカーユニットは、前記Nユニットの1×nスプリッターの前記ドロップ分岐に結合された入力ポートを含む。各々の波長ブロッカーユニットが、前記M×M’ファイバーシャッフルのファイバーに結合された入力ポートと、対応する出口分岐に結合された出力ポートと、を含むように、各々の波長ブロッカーユニットが前記n×1結合器のうちの１つの出口分岐に光学的にも結合されるように、前記波長ブロッカーアレイが配置される。各々の波長ブロッカーユニットは、前記Nユニットのn×1結合器の前記アド分岐に結合された入力ポートを含む。各々の波長ブロッカーユニットは、入力波長チャネルを選択的に、通過させる、ブロックする、または、減衰させるように構成される。前記装置は、前記M×M’ファイバーシャッフルに結合された第２の波長ブロッカーアレイをさらに備える。前記波長ブロッカーアレイは、前記Nユニットの1×nスプリッターの前記ドロップ分岐に結合され、前記第２の波長ブロッカーアレイは、前記Nユニットのn×1結合器の前記アド分岐に結合される。各々のドロップ分岐は複数の方路(degree)ドロップポートのうちの１つに結合される。前記複数の方路ドロップポートは、ツインマルチキャストスイッチに結合され、特定の方路ドロップポートから受信される波長チャネルは、前記ツインマルチキャストスイッチによって前記n×1結合器のうちの１つまたは複数のアド分岐に結合された方路アドポートに選択的にアドされる。各々のスプリッターは１つまたは複数の入力波長チャネルを各々の分岐に分離するように構成され、前記M×M’ファイバーシャッフルを通して１つまたは複数の選択された出口ポートに結合された特定の分岐の特定の波長チャネルは、前記波長ブロッカーアレイを通過することを許可される。MまたはM’のうちの１つまたは複数はN2に等しい。
【０００５】
概して、本明細書に記載された発明の一態様は、N個の1×2入口タップカプラーであって、各々の入口タップカプラーのタップされた分岐は方路ドロップに結合され、N＞1である、N個の1×2入口タップカプラーと、N個の波長ブロッキングユニットを有する波長ブロッカーアレイであって、各々の波長ブロッキングユニットは前記N個の1×2入口タップカプラーのうちの対応する１つに結合された、波長ブロッカーアレイと、N個の2×1出口タップカプラーであって、各々の出口タップカプラーのタップされた分岐は方路アドに結合された、N個の2×1出口タップカプラーと、前記波長ブロッカーアレイと前記N個の2×1出口タップカプラーとの間に結合された波長選択型クロスコネクト(wavelength selective cross-connect (WSX))アレイであって、複数の独立にスイッチされる2×2 WSXスイッチを備える、WSXアレイと、を含む装置において例示され得る。この態様の他の実施例は、対応するシステムおよび方法を含む。
【０００６】
これらのおよび他の実施例は、それぞれ任意選択で次の特徴のうちの１つまたは複数を含み得る。各々の波長ブロッキングユニットは、対応する入口タップカプラーに結合された入力ポートと、特定の2×2 WSXスイッチの入力ポートに結合された出力ポートと、を含む。各々のWSXスイッチは2個の入力ポートと2個の出力ポートとを含み、各々のWSXスイッチはバー状態とクロス状態との間でスイッチするように独立に制御可能であり、各々のスイッチ状態はどの入力ポートがどの出力ポートに結合されるかを決定する。前記WSXアレイについての特定のスイッチ設定に基づいて、前記WSXアレイの第１の2×2 WSXスイッチに入力される波長チャネルは、一連の2×2 WSXスイッチを通して、指定された出口タップカプラーにルーティングされる。前記WSXアレイは8個の2×2 WSXスイッチを含む。前記WSXアレイは24個の2×2 WSXスイッチを含む。異なる入口タップカプラーから受信される同じ波長チャネルは、前記WSXアレイによって同時に異なる出口タップカプラーにルーティングされる。特定の入口タップカプラーにおいて入力される波長チャネルは、第１の出口タップカプラーにルーティングされ、同じ波長チャネルは、方路アドポートからアドされ、第２の出口タップカプラーにルーティングされ得る。
【０００７】
概して、本明細書に記載された発明の一態様は、複数の入口ポートと、複数の波長ブロッキングユニットを有する波長ブロッカーアレイであって、各々の波長ブロッキングユニットは前記複数の入口ポートのうちの対応する１つに結合された、波長ブロッカーアレイと、複数の出口ポートと、複数の方路ドロップポートと、複数の方路アドポートと、2×2の複数倍の個数の独立にスイッチされる2×2波長選択型クロスコネクトスイッチを備える波長選択型クロスコネクト(WSX)アレイであって、前記波長ブロッカーアレイ、前記複数の出口ポート、前記複数の方路ドロップポート、および、前記複数の方路アドポートに結合された、WSXアレイと、を含む装置において例示され得る。この態様の他の実施例は、対応するシステムおよび方法を含む。
【０００８】
これらのおよび他の実施例は、それぞれ任意選択で次の特徴のうちの１つまたは複数を含み得る。各々の波長ブロッキングユニットは、対応する入口ポートに結合された入力ポートと、特定の2×2 WSXスイッチの入力ポートに結合された出力ポートと、を含む。各々のWSXスイッチは2個の入力ポートと2個の出力ポートとを含み、各々のWSXスイッチはバー状態とクロス状態との間でスイッチするように独立に制御可能であり、各々のスイッチ状態はどの入力ポートがどの出力ポートに結合されるかを決定する。前記WSXアレイについての特定のスイッチ設定に基づいて、前記WSXアレイの第１の2×2 WSXスイッチに入力される波長チャネルは、一連の2×2 WSXスイッチを通して、指定された出口ポートにルーティングされる。前記WSXアレイは16個の2×2 WSXスイッチを含む。異なる入口ポートから受信される同じ波長チャネルは、前記WSXアレイによって同時に異なる出口ポートにルーティングされる。第１の入口ポートから前記WSXアレイにおいて受信される波長チャネルは、方路ドロップポートにルーティングされ、方路アドポートにおいて受信される同じ波長チャネルは、前記WSXアレイによって特定の出口ポートにルーティングされる。第１の入口ポートから前記WSXアレイにおいて受信される波長チャネルは、前記WSXアレイのスイッチ設定に応じて、前記方路ドロップポートのうちのいずれか１つに選択的にルーティングされる。前記入口ポートのいずれかから前記WSXアレイにおいて受信される波長チャネルは、同じ方路ドロップポートに選択的にルーティングされる。第１の方路アドポートから前記WSXアレイにおいて受信される波長チャネルは、前記WSXアレイのスイッチ設定に応じて、前記出口ポートのうちのいずれか１つに選択的にルーティングされる。
【０００９】
概して、本明細書に記載された発明の一態様は、複数の方路ドロップポートと、複数の方路アドポートと、複数のアドポートと、複数のドロップポートと、2×2の複数倍の個数の独立にスイッチされる2×2波長選択型クロスコネクトスイッチを備える波長選択型クロスコネクト(WSX)アレイであって、前記複数の方路ドロップポート、前記複数の方路アドポート、前記複数のドロップポート、および、前記複数のアドポートに結合された、WSXアレイと、を含む装置において例示され得る。この態様の他の実施例は、対応するシステムおよび方法を含む。
【００１０】
本明細書に記載された発明の特定の実施例は、次の効果のうちの１つまたは複数を実現するように実装され得る。波長選択型クロスコネクト(WSX)の波長ブロッカーアレイ(WBA)実装は、従来の1×N波長選択型スイッチを基にしたWSXより低価格で、よりかさばらないものであり得る。さらに、WBAを基にしたWSXを用いたROADMは、よりかさばらない。WBAは、また、より多くのポート数を有する装置の設計を容易にし、例えばROADMについてコストを低下させ得る。WBAを基にしたWSXは、また、ブロードキャストおよびドロップ・アンド・コンティニュー(drop and continue)機能を提供することができる。
【００１１】
2×2 WSXアレイを基にしたN.K×N.K WSXは、N×N WSXがより簡単な構造で構成されることを可能にし、その結果、より低コストでより小さい設備スペースとなる。2×2 WSXは、コストおよびスペースを節約するためにアレイとして統合され得る。いくつかの実装において、2×2 WSXアレイを基にしたN.K×N.K WSXは、ドロップ・アンド・コンティニュー機能を提供するように設計され得る。その代りに、他のいくつかの実装において、2×2 WSXアレイを基にしたWSXは、無色(colorless)かつ無方向(directionless)のアド／ドロップポートを提供するように設計され得る。これはアドおよびドロップの位置について向上した柔軟性を与える。
【００１２】
ツインN×N CDCアド／ドロップシャッフルは波長選択型機能を有し、これは、異なる方路からの複数の波長チャネルを１つのドロップポートに結合させ得る。スプリッターは、そして、より多くのポートを作るために使用され得る。
【００１３】
N×N CDCアド／ドロップシャッフルは、また、指向性のないN個のアド／ドロップポートをN個の無色、無方向、かつ無競合(colorless directionless and contentionless (CDC))ポートに向け、さらに、スプリッターを使用することは、とても低コストでN個のCDCポートをX個(X>>N)のCDCポートに拡張し得る。これは、CDCアド／ドロップポート当たりのコストを劇的に減少させ得る。
【００１４】
本明細書の発明の１つまたは複数の実施例の詳細は、添付図面および以下の説明に記載されている。本発明の他の特徴、態様、および効果は、説明、図面、および請求項から明らかになる。
【００１５】
各種図面における同様の参照符号および名称は同様の構成要素を指す。
【図面の簡単な説明】
【００１６】
【図１Ａ】例示のN方路CDC WSX ROADMのブロック図である。
【図１Ｂ】例示のN方路CDC WSX ROADMのブロック図である。
【図２Ａ】例示の従来のN方路WSX ROADMの図である。
【図２Ｂ】図２Ａの例示のN.K×N.K WSXの図である。
【図２Ｃ】図２Ａの例示のツインN×Mマルチキャストスイッチの図である。
【図３Ａ】波長ブロッカーアレイを含む例示のN.K×N.K WSXの図である。
【図３Ｂ】追加の波長チャネルルーティングを有する、図３Ａの例示のN.K×N.K WSXの図である。
【図４Ａ】2×2 WSXアレイを用いた例示の4.4×4.4 WSXの図である。
【図４Ｂ】2×2 WSXのバーおよびクロス状態の例を表わす図である。
【図４Ｃ】2×2 WSXアレイを用いた例示の8.8×8.8 WSXの図である。
【図４Ｄ】例示の経路ルーティングを含む、図４Ａの例示の4.4×4.4 WSXの図である。
【図４Ｅ】例示の経路ルーティングを含む、図４Ａの例示の4.4×4.4 WSXの図である。
【図４Ｆ】例示の経路ルーティングを含む、図４Ａの例示の4.4×4.4 WSXの図である。
【図５Ａ】2×2 WSXアレイを用いた例示のN.K×N.K WSXの図である。
【図５Ｂ】例示の経路ルーティングを含む、図５Ａの例示のN.K×N.K WSXの図である。
【図５Ｃ】例示の経路ルーティングを含む、図５Ａの例示のN.K×N.K WSXの図である。
【図５Ｄ】例示の経路ルーティングを含む、図５Ａの例示のN.K×N.K WSXの図である。
【図５Ｅ】例示の経路ルーティングを含む、図５Ａの例示のN.K×N.K WSXの図である。
【図５Ｆ】例示の経路ルーティングを含む、図５Ａの例示のN.K×N.K WSXの図である。
【図５Ｇ】例示の経路ルーティングを含む、図５Ａの例示のN.K×N.K WSXの図である。
【図６Ａ】2×2 WSXアレイを用いた例示のツインN×N CDCアド／ドロップシャッフルの図である。
【図６Ｂ】例示の経路ルーティングを含む、図６Ａの例示のツインN×N CDCアド／ドロップシャッフルの図である。
【図６Ｃ】例示の経路ルーティングを含む、図６Ａの例示のツインN×N CDCアド／ドロップシャッフルの図である。
【図７】スプリッター拡張を含む、例示のツインN×N CDCアド／ドロップシャッフルの図である。
【発明を実施するための形態】
【００１７】
図１Ａ、図１Ｂは、例示のN方路CDC WSX ROADM１００のブロック図である。N方路CDC WSX ROADM１００は、選択的に一緒にリンクされるN組の入口および出口ファイバー１０２を含む。リンクされたファイバーの各々の組は１方路である。特定の入口ファイバーを特定の出口ファイバーにリンクすることは、WSXによって提供される。各々のファイバーは、光信号のための複数のチャネルを含み得る。各々のチャネルは固有の波長を有する。
【００１８】
１つまたは複数の入口ファイバー１０２からドロップされ、受信器１０４を通して電気信号に変換され得るM個のチャネルの光信号が存在する。さらに、電気信号は、送信器１０６を通して入力され、１つまたは複数の出口ファイバー１０２にアドされ得るM’個のチャネルの光信号に変換され得る。
【００１９】
動作において、任意の入口ファイバーを通して入力される任意の波長チャネルからの光信号は、WSX１０８を用いて出口ファイバーポートのいずれかに、ブロックされずにスイッチされ得る。さらに、任意の入口ファイバーを通して入力される任意の波長チャネルの光信号は、１つの位置、例えば、１つまたは複数の受信器１０４に選択的にドロップされ得る。同様に、１つまたは複数の送信器１０６を通して入力される特定の波長チャネルの光信号は、選択された出口ファイバーにアドされ得る。従って、CDC WSX ROADM１００によって提供されるアドおよびドロップは、無色かつ無方向である。さらに、１つの光ファイバーからの特定の波長チャネルのアドまたはドロップは、他の光ファイバーからの波長チャネルのアドまたはドロップをブロックしない。従って、CDC WSX ROADM１００は、また、無競合である。
【００２０】
CDC WSX ROADM１００は、３つの主要部分、方路の間で、例えば、特定の入口ファイバーから特定の出口ファイバー１０２へリンクするWSX１０８、入口／出口ファイバーの間のドロップ／アドポートへのアド／ドロップリンク、および、光状態と電気状態の間で信号を変換する送信器１０６／受信器１０８を有する。これらの部分の各々は、特定の実装に関して、以下でより詳細に説明される。
【００２１】
図２Ａは、例示の従来のN方路WSX ROADM２００の図である。N方路WSX ROADM２００は、N.K×N.K WSX２０２である第１の部分を含む。N.K×N.K WSX２０２はN個の方路およびK個のアド／ドロップの組を有する。いくつかの実装において、K＝L×Nであり、ここでLは自然数である。N.K×N.K WSX２０２は、2Nユニットの1×n波長選択型スイッチ(WSS)２０６／２０７、N個の入口WSS２０６のポートをN個の出口WSS２０７のポートとクロスコネクトするN2×N2ファイバーシャッフル２０８、および、L＞1であるとき、各々の入口WSS２０６の(L個の)ポートをL方路ドロップグループに結合し、各々の出口WSS２０７の(L個の)ポートをL方路アドグループに結合するツインLN×LNファイバーシャッフルを含む。
【００２２】
N方路WSX ROADM２００は、また、ツインN×Mマルチキャストスイッチ(multi-cast switch：MCS)２０４である第２の部分を含み、ここでNは方路数、Mはアド／ドロップの組の数である。ツインN×M MCS２０４は、２つの別個のN×M MCSである、ドロップのための第１のN×M MCS２１０およびアドのための第２のN×M MCS２１２を含む。各々のN×M MCSは、Nユニットの1×Mスプリッター、Mユニットの1×Nスイッチ、および、スプリッターとスイッチをクロスコネクトするNM×NMファイバーシャッフルを含む。
【００２３】
組み合わせで動作して、N方路WSX ROADM２００がN方路波長選択型クロスコネクトおよびL×MチャネルCDCアド／ドロップをサポートできるように、N.K×N.K WSX２０２からの各々のアド／ドロップグループは、ツインN×M MCS２０４の１つにリンクされてM CDCアド／ドロップを提供する。
【００２４】
図２Ｂは、図２Ａの例示のN.K×N.K WSX２０２の図である。特に、図２Ｂは、N.K×N.K WSX２０２を通した波長チャネルについての例示の経路を表わす。各々の入口WSS２０６は共通ポートおよびn個の分岐ポートを含み、ここでn＝N＋Lである。共通ポートからのどの波長チャネルも、n個の分岐ポートのいずれか１つにスイッチされ得る。各々の入口WSS２０６のN個の光分岐はWSXを形成するために使用され、各々の入口WSS２０６の残りのL個の光分岐は波長チャネルをドロップするためのものである。同様に、各々の出口WSS２０７はn個の光分岐ポートを含み、ここでn＝N＋Lである。各々の出口WSS２０７のN個の光分岐は、また、WSXを形成するために使用され、各々の出口WSS２０７の残りのL個の光分岐ポートは波長チャネルをアドするためのものである。クロスコネクトを提供するN2×N2ファイバーシャッフルを用いて、各々の入口WSS２０６のN個の分岐ポートの各々は、各々の出口WSS２０７のN個の分岐ポートの１つにリンクされる。
【００２５】
動作において、複数の波長チャネルを有する光信号は第１の入口WSS２１４に入る。チャネルは、出口WSS２０７の特定の出口ポートにスイッチされ、出口WSSの共通ポートを通してWSX２０２を出ることができる。特に、図２Ｂは、第２の出口WSS２１６にスイッチされる波長チャネル1-1を表わす。
【００２６】
同様に、第１の入口WSS２１４からのもう１つの波長チャネル、波長チャネル1-2は、同じまたは異なる出口ポートにスイッチされ得る。特に、図２Ｂに表わされている例は、第３の出口WSS２１８にスイッチされる波長チャネル1-2を表わす。
【００２７】
第１の入口WSS２１４において受信される波長チャネル1-1と同じ波長チャネルは、また、もう１つの入口WSS２０６において受信され得る。特に、図２Ｂに表わされている例は、第３の入口WSS２２０において受信され、第１の出口WSS２２２にスイッチされる波長チャネル3-1を表わす。
【００２８】
さらに、入口WSS２０６の特定のポートからの波長チャネルは、ドロップするためにスイッチされ得る。同じ波長チャネルは、アドポートからアドされ、出口WSS２０７の特定のポートにスイッチされ得る。特に、図２Ｂに表わされている例は、第１の入口WSS２１４において受信され、ドロップ２２４にルーティングされる波長チャネル1-3を表わす。そして、この同じ波長チャネルは第１の出口WSS２２２にアドされ、ルーティングされる。
【００２９】
図２Ｃは、図２Ａの例示のツインN×M MCS２０４の図である。ツインN×M MCS２０４は、２つの別個のN×M MCSである、ドロップのための第１のN×M MCS２１０およびアドのための第２のN×M MCS２１２を含む。各々のN×M MCSは、Nユニットの1×Mスプリッター、Mユニットの1×Nスイッチ、および、スプリッターとスイッチをクロスコネクトするNM×NMファイバーシャッフルを含む。
【００３０】
各々のN方路ドロップ２２４について、１つまたは複数の波長チャネルが存在する。方路ドロップ２２４からの波長チャネルは、スプリッター２２６によって各々のスイッチ２２８に分配される。いくつかの実装において、特定のドロップポートが識別されることができ、スイッチはそのドロップポートにリンクされる。同じ方路ドロップからのもう１つの波長チャネルは、また、受信され、もう１つのドロップポートへドロップするためにスイッチされ得る。さらに、同じ波長であるが異なる方路ドロップを有するもう１つの波長チャネルは、その波長チャネルを異なるドロップポートに方向付けるスイッチにリンクされ得る。
【００３１】
逆に、特定のアドポートからスイッチ２３０へアドされる波長チャネルは、特定のカプラー２３２および特定の方路アド２３４にルーティングされ得る。同様に、同じ波長を有する波長チャネルは、異なる方路アドにルーティングされ得る。各々の方路アドは、スイッチング状態に応じてゼロまたは複数の波長チャネルを受信し得る。
【００３２】
図３Ａは、例示のN.K×N.K WSX３００の図である。N.K×N.K WSX３００は、入口側にNユニットの1×nスプリッター３０２を含み、ここでn＝N＋1である。各々のスプリッター３０２の最初のN個の分岐は、合計でN2個の入口分岐を提供する波長クロスコネクトのために指定される。各々のスプリッター３０２からの１つの追加の分岐は、方路ドロップのために指定される。従って、N個のスプリッター３０２からの合計N個のドロップ分岐が存在する。
【００３３】
N.K×N.K WSX３００は、また、波長ブロッカーアレイ(wavelength blocker array (WBA))３０４を含む。WBA３０４は、２つまたはより多くの波長ブロッカーユニットを含み、各々は独立に動作する。各々の波長ブロッカーユニットは少なくとも１つの入力ポートおよび出力ポートを含む。いくつかの実装において、各々の波長ブロッカーユニットの入力ポートは、Nユニットの1×nスプリッターのドロップ分岐に結合される。入力において受信される１つまたは複数の波長チャネルが存在し、各々の波長は、特定の波長ブロッカーによって、開いている、減衰される、または、ブロックされる、と設定され得る。波長ブロッカーは、入力信号を多重分離(demultiplex)し、各々の信号を値において独立に減衰させ、そして、それらを出力信号に、再度、多重化(multiplex)するために使用される。各々の波長チャネルの減衰は、２つの極端な状態の間で変動し得る。一方は、減衰比率が最小値として設定されるとき「通過(pass)」と呼ばれ、他方は、最大値として設定されるときブロックと呼ばれる。WBA３０４はN(n)個の波長ブロッカーユニットを含み、ここでn≧Nである。いくつかの実装において、WBA３０４がN2個の波長ブロッカーユニットを含み、ここで各々の波長ブロッカーユニットが特定のスプリッター３０２の入口分岐に対応する入力ポートを有するようなn＝Nである。
【００３４】
出口側において、N.K×N.K WSX３００は、また、Nユニットのn×1結合器３０８を含み、ここでn＝N＋1である。各々のカプラー３０８の最初のN個の分岐は、合計でN2個の出口分岐を提供する波長クロスコネクトのために指定される。各々のカプラー３０８からの１つの追加の分岐は、方路アドを提供するために指定される。従って、各々の結合器３０８は、合計N個の分岐を有する。各々の結合器３０８からの分岐は、単一の出力ポートに結合され得る。N.K×N.K WSX３００は、また、N2×N2ファイバーシャッフル３０６を含む。ファイバーシャッフル３０６は、入口スプリッター３０２の各々の分岐が各々の出口結合器３０８の分岐にリンクされるように、WBA３０４のN2個の出力を介したN2個の入口分岐と、N2個の出口分岐との間でクロスコネクトを提供する。いくつかの代替の実装において、ファイバーシャッフルはM×M’ファイバーシャッフルであり、ここでMまたはM’の１つまたは複数はN2に等しいか、または、他の適切な値であり得る。WSX３００の残りの記載は、M×M’ファイバーシャッフルの実装に同様に適用可能である。
【００３５】
いくつかの実装において、N.K×N.K WSX３００内にN2×N2ファイバーシャッフル３０６と出口カプラー３０８の間に第２のWBA３１０も含まれる。これは、追加の波長チャネルのフィルタリングまたは減衰を提供し得る。さらに、他のいくつかの実装において、１つまたは複数の追加のWBA３１２または３１４が含まれ得る。特に、WBA３１２はWSX３００と方路ドロップ３１６の間に配置され、WBA３１４はWSX３００と方路アド３１８の間に配置され得る。いくつかの実装において、第１のWBA３０４は、Nユニットの1×nスプリッターのドロップ分岐に結合される入力ポートを含み、第２のWBA３１０は、Nユニットのn×1結合器のアド分岐に結合される。
【００３６】
さらに、いくつかの代替の実装において、単一のWBAは、WBA３０４またはWBA３１０のいずれかとして配置され得る。すなわち、単一のWBAは、N2×N2ファイバーシャッフル３０６のいずれかの側に配置され得る。WBAは、N2×N2ファイバーシャッフル３０６のどちら側に配置されるかに関係なく、同じ機能を実行し得る。
【００３７】
動作において、スプリッター３０２のそれぞれの入口ポートにおいて受信される１つまたは複数の波長チャネルが存在する。入口からの波長チャネルは分割され、N個の分岐に分配される。入口のN個の分岐の各々は、WBA３０４に入力される。波長チャネルのための特定のクロスコネクトのルートに基づいて、特定のWBユニットは、分割された分岐にのために他のWBが出力から波長チャネルをブロックする間、波長チャネルを開いているに設定し、それを通過させる。通過された波長チャネルについての光信号は、ファイバーシャッフル３０６によって特定の出口結合器３０８に、そこから出口ポートにルーティングされる。
【００３８】
例えば、スプリッター３０２の第１のスプリッター３２０において受信される波長チャネル（ch 1-1）はN個の分岐に分離され、各々はWBA３０４に渡される。WBA３０４の特定のWBユニットからの通過された信号は、この例において、出口カプラー３０８の第３のカプラー３２２にルーティングされ得る。もう１つの例において、第１のスプリッター３２０において受信される異なる波長チャネル(ch 1-2)は、WBA３０４の異なるWBによって通過され、この例において、第４のカプラー３２４にルーティングされ得る。
【００３９】
もう１つの例において、波長チャネル1-1と同じ波長チャネルは、第２のスプリッター３２６(ch 2-1)において受信され得る。これは同じ波長を有するが、WBA３０４の異なる波長ブロッカーにルーティングされ、従って、異なる出口ポートにルーティングされ得る。この例において、ch 2-1の通過された信号は第１のカプラー３２８にルーティングされる。
【００４０】
さらに、入口ポートからの波長チャネルは、また、ドロップ分岐に分割され、その対応する方路ドロップポートにルーティングされる。いくつかの実装において、波長チャネルは、WBA３０４の全てのWBによってブロックされる。図３に表わされている例について、第３のスプリッター３３０において受信される波長チャネル(ch 3-3)はWBA３０４によってブロックされ、その方路ドロップポートでドロップされる。同じ波長チャネルは、任意選択で、特定の方路アドポートからアドされ、表わされている例において第３のカプラー３２２である、対応する出口カプラー３０８にルーティングされ得る。
【００４１】
図３Ｂは、追加の波長チャネルルーティングを有する、図３Ａの例示のN.K×N.K WSX３００の図である。特に、N.K×N.K WSX３００は、ブロードキャスト機能を提供するために使用され得る。特に、特定の入口スプリッター３０２において受信される波長チャネルは、２つまたはより多くの出口ポートにブロードキャストされ得る。WBA３０４は、特定のスプリッターから受信される分岐のための２つまたはより多くの開いている波長ブロッカーを含み得る。従って、波長チャネルについての光信号は、２つまたはより多くのカプラー３０８にルーティングされ得る。
【００４２】
具体的には、図３Ｂに表わされているように、第１のスプリッターにおいて受信される波長チャネル(ch 1-4)は、WBA３０４において１つより多くの波長ブロッカーによって通過される。各々の通過させる波長ブロッカーは、ファイバーシャッフル３０６を通して、通過される光信号を異なるカプラー３０８、すなわち第２のカプラー３３４および第３のカプラー３２２にルーティングする。従って、波長チャネルは、第１の入口ポートから２つの出口ポートにブロードキャストされる。
【００４３】
N.K×N.K WSX３００は、また、ドロップ・アンド・コンティニュー機能を提供し得る。特に、特定の入口スプリッター３０２において受信される波長チャネルは、WBA３０４において１つまたは複数の波長ブロッカーによって通過され、一方、また、方路ドロップポートにドロップされる。例えば、図３Ｂに表わされているように、第２のスプリッター３２６において受信される波長チャネル(ch 2-5)は、WBA３０４によって第１のカプラー３０８に渡されるとともに、ドロップ分岐によって方路ドロップポートにルーティングされる。
【００４４】
図４Ａは、2×2 WSXアレイ４０６を用いた例示の4.4×4.4 WSX４００の図である。WSX４００は、入口側に4個の1×2タップカプラー４０２、出口側に4個の2×1タップカプラー４０８、波長ブロッカーアレイ(WBA)４０４、および、WSXアレイ４０６を含む。タップカプラー４０２の各々は、信号を受信するための入力およびタップ(中間口出し)された出力を含む。出力のタップされた部分は、方路ドロップ４１０のポートにルーティングされる。タップカプラー４０８の各々は、WSXアレイ４０６からの入力と方路アド４１２の特定のポートからの入力を結合し、結合された信号を出力として提供する。WBA４０４は、図３Ａ、図３ＢにおけるWBA３０４と同様に機能する。図４Ａに表わされている例において、WBA３０４は4ユニットの波長ブロッカーを含み、各々の入口タップカプラー４０２について1ユニットである。
【００４５】
WSXアレイ４０６は8個の2×2 WSXを含み、各々は独立に制御される。各々の2×2 WSXは、2個の入力ポートおよび2個の出力ポートを有する。各々の2×2 WSXは、バー(bar)状態またはクロス(cross)状態のいずれかであるように独立に制御され得る。
【００４６】
図４Ｂは、2×2 WSX４０１のバーおよびクロス状態の例を表わす図である。2×2 WSX４０１のバー状態において、第１のポート１からの入力は第１の出力ポート１’にルーティングされ、第２のポート２からの入力は第２の出力ポート２’にルーティングされる。しかし、2×2 WSX４０１のクロス状態において、第１のポート１からの入力は第２の出力ポート２’にルーティングされ、第２のポート２からの入力は第１の出力ポート１’にルーティングされる。
【００４７】
図４Ｃは、2×2 WSXアレイ４１４を用いた例示の8.8×8.8 WSX４０３の図である。WSX４０３は、WSX４００と同様であるが、規模が大きくされている。特に、WSX４０３は、入口側に8個の1×2タップカプラー４１６、出口側に8個の2×1タップカプラー４１８、波長ブロッカーアレイ(WBA)４２０、および、WSXアレイ４１４を含む。タップカプラー４１６の各々は、信号を受信するための入力およびタップされた出力を含む。出力のタップされた部分は、方路ドロップ４２２のポートにルーティングされる。タップカプラー４１８の各々は、WSXアレイ４１４からの入力と方路アド４２４の特定のポートからの入力を結合し、結合された信号を出力として提供する。WSXアレイ４１４は24個の2×2 WSXを含み、各々は独立に制御される。各々の2×2 WSXは、2個の入力ポートおよび2個の出力ポートを有する。各々の2×2 WSXは、バー状態またはクロス状態のいずれかであるように独立に制御され得る。
【００４８】
図４Ｄは、例示の経路ルーティングを含む、図４Ａの例示の4.4×4.4 WSXの図である。タップカプラー４０２への各々の入口ポートは、１つまたは複数の波長チャネルを受信し得る。一例において、第１の入口タップカプラー４３０(ch 1-1)において受信される波長チャネルは、一部、方路ドロップにタップされ、残りはWBA４０４に渡される。波長チャネルが、対応する波長ブロッカーについて開いているならば、波長チャネルは、第１の出口タップカプラー４３２における指定された出口ポートに波長チャネルをルーティングするスイッチ設定、例えば、バーまたはクロス状態を有する一連の2×2 WSXを通過する。特に、波長チャネルがWSXアレイ４０６の特定のスイッチ設定、例えば、WSXスイッチのために指定されたバーおよびクロス状態の特定の組み合わせについて、4個の2×2 WSXを通過することを表わす実線４３４によって経路が表わされている。
【００４９】
もう１つの例において、同じ波長を有するもう１つの波長チャネルは、第３の入口タップカプラー４３６(ch 3-1)において入口ポートを通して入る。この波長チャネルは、同じスイッチ設定で、2×2 WSXアレイ４０６を用いて4個の出口タップカプラー４３８において異なる出口ポートにスイッチされる。波長チャネルの経路は、破線４４０によって表わされている。
【００５０】
第１の入口タップカプラー４３０(ch 1-2)において受信されるもう１つの波長チャネルは、ch 1-1と同じ出口ポートにスイッチされ、または、異なるスイッチ設定に従って、異なる出口ポートにルーティングされ得る。図４Ｄに表わされているように、点線の経路４２２は、ch 1-2が第１の出口タップカプラー４３２にルーティングされる第２のスイッチ設定を表わす。
【００５１】
従って、各々の波長チャネルは、１つの入口からの異なる波長が異なる設定を有し得るように、独立にバーまたはクロス状態として設定され得る。しかし、2×2 WSXの2個の入力ポートからの同じ波長は、同じスイッチ状態、両方がバー状態または両方がクロス状態のいずれかを有さなければならない。
【００５２】
図４Ｅは、例示の経路ルーティングを含む、図４Ａの例示の4.4×4.4 WSXの図である。特に、図４Ｅは、１つのスイッチ設定が、同時に異なる入口ポートから異なる出口ポートへの同じ波長を許容する、ブロックしないスイッチを表わす。図４Ｅにおいて、経路４５０によって表わされているように、波長チャネル(ch 1-1)は第１の入口タップカプラー４３０において入力され、第２の出口タップカプラー４４６にルーティングされる。経路４５４によって表わされているように、第２の入口タップカプラー４５２(ch 2-1)において入力される同じ波長チャネルは、第４の出口タップカプラー４３８にルーティングされる。経路４５６によって表わされているように、第３の入口タップカプラー４３６(ch 3-1)において入力される同じ波長チャネルは、第１の出口タップカプラー４３２にルーティングされる。最後に、経路４６０によって表わされているように、第４の入口タップカプラー４５８(ch 4-1)において入力される波長チャネルは、第３の出口タップカプラー４４８にルーティングされる。
【００５３】
図４Ｆは、例示の経路ルーティングを含む、図４Ａの例示の4.4×4.4 WSX４００の図である。特に、図４Ｆは、WSX４００におけるアド／ドロップ機能の例を表わす。いくつかの実装において、特定の入口タップカプラーにおいて入力される波長チャネルは、方路ドロップ４１０のポートにタップされる信号の部分を有する。波長チャネルは、そして、WBA４０４によってブロックされるか、または、WBA４０４によって通過されて、ドロップ・アンド・コンティニューを提供し得る。図４Ｆに表わされているように、波長チャネルは、第１の入口タップカプラー４３０(ch 1-1)において受信される。実線の経路４６２によって表わされているように、一部は方路ドロップ４１０にタップされ、波長チャネルの残りの信号はWBA４０４によってブロックされる。さらに、しかし、実線の経路４６４によって表わされているように、波長チャネルは、方路アド４１２のポートから入力され、第２の出口タップカプラー４４６にルーティングされる。従って、波長チャネルはドロップされ、そして、再びアドされる。
【００５４】
さらに、図４Ｆは、ドロップ・アンド・コンティニューを表わす。第２の入口タップカプラー４５２(ch 2-1)において入力される波長は、方路ドロップ４１０にタップされる部分を有する。同時に、WBA４０４は、波長チャネルが第１の出口タップカプラー４３２へWSXアレイ４０６を通過することを許容する。WSXアレイ４０６を通過するスイッチ設定は、点線４６６によって表わされている。
【００５５】
図５Ａは、例示のN.K×N.K WSX５００の図である。WSX５００は、入口ポート５０２、WBA５０４、2×2 WSXアレイ５０６、出口ポート５０８、方路ドロップポート５１０、および、方路アドポート５１２を含む。
【００５６】
特に、N個の入口ポートが存在し、各々はWBA５０４に結合される。WBA５０４は、前述のWBA４０４と同様であり、特定の波長チャネルを選択的に、通過させる、ブロックする、または、減衰させ得るN個の波長ブロッカーユニットを含む。2×2 WSXアレイ５０６は、N2個、または、この例において16個の2×2 WSXを含み、各々は独立に制御される。他の実装は、WSXアレイ内に異なる数の2×2 WSXを含み得る。各々の2×2 WSXは、2個の入力ポートおよび2個の出力ポートを有する。各々の2×2 WSXは、バー状態またはクロス状態のいずれかであるように独立に制御され得る。2×2 WSXについてのバーおよびクロス状態は、図４Ｂを参照して前述した。
【００５７】
2×2 WSXアレイ５０６内の2×2 WSXの格子配列は、WBA５０４によって通過される波長チャネルを出口ポート５０８のいずれか１つ、または、特定の方路ドロップ５１０にルーティングするために設けられる。さらに、2×2 WSXアレイ５０６は、方路アドポート５１２のうちの１つまたは複数からの入力アド波長チャネルを許容し、アドされた信号を出口ポート５０８の１つにルーティングするように構成される。
【００５８】
図５Ｂは、例示の経路ルーティングを含む、図５Ａの例示のN.K×N.K WSX５００の図である。特に、上記の例と同様に、各々の入口ポート５０２は、１つまたは複数の波長チャネルを受信し得る。WBA５０４を通過する波長チャネルは、そして、波長チャネルの信号が特定の出口ポート５０８にルーティングされるような特定のスイッチ設定を有する一連の2×2 WSXを通過する。例えば、図５Ｂは、第１の入口ポート５１４(ch 1-1)において受信される波長チャネルを表わす。WBAを通過した後、波長チャネルの信号は、一連の2×2 WSXを通して第２の出口ポート５１６へルーティングされる。波長チャネルch 1-1の経路は、経路５１８によって表わされている。
【００５９】
もう１つの例において、同じ波長を有する波長チャネルは、第３の入口ポート５２０(ch 3-1)において入力される。この波長チャネルは、また、同じスイッチ設定に従って、第４の出口ポート５２２へと2×2 WSXアレイ５０６内の一連の2×2 WSXを通過する。波長チャネルch 3-1の経路は、破線の経路５２４によって表わされている。
【００６０】
2×2 WSXアレイ５０６を通した所与の波長チャネルの経路は、アレイのスイッチ設定に応じて変化する。例えば、第３の入口ポート５２０(ch 3-2)において受信される第２の波長チャネルは、同じ第４の出口ポート５２２にルーティングされ得る。しかし、異なるスイッチ設定の下で、波長チャネルch 3-2の信号は、異なる出口ポートにルーティングされ得る。図５Ｂの例に表わされているように、第２のスイッチ設定の下で、破線５２６によって表わされているように、波長チャネル3-2は第２の出口ポート５１６にルーティングされる。
【００６１】
図５Ｃは、例示の経路ルーティングを含む、図５Ａの例示のN.K×N.K WSX５００の図である。特に、図５Ｃは、１つのスイッチ設定が、同時に異なる入口ポートから異なる出口ポートへの同じ波長を許容する、ブロックしないスイッチを表わす。図５Ｃにおいて、経路５３２によって表わされているように、波長チャネル(ch 1-1)は第１の入口ポート５１４において入力され、第２の出口ポート５１６にルーティングされる。経路５３４によって表わされているように、第２の入口ポート５２８において入力される同じ波長である波長チャネル(ch 2-1)は、第１の出口ポート５２４にルーティングされる。経路５３６によって表わされているように、第３の入口ポート５２０(ch 3-1)において入力される同じ波長チャネルは、第４の出口ポート５２２にルーティングされる。最後に、経路５３８によって表わされているように、第４の入口ポート５３０(ch 4-1)において入力される波長チャネルは、第３の出口ポート５２６にルーティングされる。
【００６２】
図５Ｄは、例示の経路ルーティングを含む、図５Ａの例示のN.K×N.K WSX５００の図である。特に、図５Ｄは、WSX５００におけるアド／ドロップ機能の例を表わす。特に、図５Ｄの例は、第２、第３、第４の入口５２８、５２０、５３２において受信される波長チャネルの経路が図５Ｃにおいて表わされているものと変わらないことを表わす。
【００６３】
しかし、経路５４０によって表わされているように、第１の入口ポート５１４(ch 1-1)において受信される波長チャネルは、方路ドロップポート５４４に方向付けされる。経路５４２によって表わされているように、同じ波長の新たな信号は、方路アドポート５４６から入力され、WSXアレイ５０６を通して第２の出口ポート５１６に方向付けされる。
【００６４】
図５Ｅは、例示の経路ルーティングを含む、図５Ａの例示のN.K×N.K WSX５００の図である。特に、図５Ｅは、WSXアレイ５０６を用いたWSX５００の柔軟性を表わす。図５Ｅに表わされているように、第１の入口ポート５１４(ch 1-1)において受信される波長チャネルは、経路５４０に沿って方路ドロップポート５４４にルーティングされ、新たな波長は、方路アドポート５４６から入力され、経路５４２に沿ってWSXアレイ５０６を通して第２の出口ポート５１６に方向付けされ得る。
【００６５】
WSXアレイ５０６は、また、波長チャネルch 1-1を異なるドロップポートにルーティングするために使用され得る。特に、第１の入口ポート５１４において入力される波長チャネルは、WSXアレイ５０６によって、経路５５０に沿って方路ドロップポート５４８へ、経路５５２に沿って方路ドロップポート５５４へ、経路５５６に沿って方路ドロップポート５５８へルーティングされ得る。
【００６６】
同様に、同じ波長チャネルが異なる方路アドポートにおいてアドされ得る。図５Ｅに表わされているように、波長チャネルは方路アドポート５６０においてアドされ、続いて経路５６２に沿ってWSXアレイ５０６によって第２の出口ポート５１６にルーティングされる。
【００６７】
図５Ｆは、例示の経路ルーティングを含む、図５Ａの例示のN.K×N.K WSX５００の図である。特に、図５Ｆは、WSX５００によって提供される無方向(directionless)ドロップの例を表わす。図５Ｆに表わされているように、特定のスイッチ設定を用いて、いずれの入口ポートからの波長チャネルも、同じ方路ドロップポートにルーティングされ得る。従って、第１の入口ポート５１４において受信される波長チャネルは、経路５６４に沿ってWSXアレイ５０６を通して方路ドロップポート５５８にルーティングされる。第２の入口ポート５２８において受信される波長チャネルは、経路５６６に沿ってWSXアレイ５０６を通して方路ドロップポート５５８にルーティングされる。第３の入口ポート５２０において受信される波長チャネルは、経路５６８に沿ってWSXアレイ５０６を通して方路ドロップポート５５８にルーティングされる。最後に、第４の入口ポート５３２において受信される波長チャネルは、経路５７０に沿ってWSXアレイ５０６を通して方路ドロップポート５５８にルーティングされる。
【００６８】
図５Ｇは、例示の経路ルーティングを含む、図５Ａの例示のN.K×N.K WSX５００の図である。特に、図５Ｇは、WSX５００によって提供される無方向ドロップの例を表わす。図５Ｇに表わされているように、特定のスイッチ設定を用いて、特定の方路アドポートにおいてアドされる波長チャネルは、いずれの出口ポートにもルーティングされ得る。従って、方路アドポート５４６において受信される波長チャネルは、対応するスイッチ設定に従って、経路５７２に沿って第１の出口ポート５２８へ、経路５７４に沿って第２の出口ポート５１６へ、経路５７６に沿って第３の出口ポート５２６へ、経路５７８に沿って第４の出口ポート５２２へ選択的にアドされ得る。
【００６９】
図６Ａは、例示のツインN×N CDCアド／ドロップシャッフル６００の図である。アド／ドロップシャッフル６００は、例えば図３〜５のWSXの方路ドロップから波長チャネルを受信し、特定のアド波長チャネルを方路アドポートにルーティングしてWSX内にアドし戻す。アド／ドロップシャッフル６００は、方路ドロップポート６０２、方路アドポート６０４、2×2 WSXアレイ６０６、アドポート６０８、および、ドロップポート６１０を含む。
【００７０】
2×2 WSXアレイ６０６は、2×2 WSXの2×2アレイである。いくつかの実装において、N2ユニットの2×2 WSXが存在する。１つまたは複数の波長チャネルは、各々の方路ドロップポート６０２から受信され得る。例えば、各々の方路ドロップポート６０２は、波長チャネルが特定の方路ドロップポートに選択的にルーティングされ得る図３〜５に表わされているようなWSXからの特定の方路ドロップに対応し得る。方路ドロップポート６０２から受信される特定の波長チャネル(ch 1-1)は、2×2 WSXアレイ６０６内の一連の2×2スイッチを通して特定のドロップポート６１０にルーティングされ得る。経路６１２は、第１の方路ドロップ６１４において受信され、第１のドロップポート６１６にルーティングされる波長チャネルの経路を表わす。さらに、同じ波長を有するチャネルは、第１のアドポート６１８から入力され、経路６２２に沿って2×2 WSXアレイ６０６を通して特定の方路アドポート６２０にルーティングされ得る。
【００７１】
同様に、ch 1-1のような同じ波長を有するもう１つの波長チャネル(ch 2-1)は、第２の方路ドロップポート６２４から受信され、経路６２８に沿って第３のドロップポート６２６にルーティングされ得る。同じ波長は、第３のアドポート６２８から受信され、経路６３２に沿って2×2 WSXアレイ６０６を通して第２の方路アドポート６３０にルーティングされ得る。
【００７２】
図６Ｂは、例示の経路ルーティングを含む、例示のツインN×N CDCアド／ドロップシャッフル６００の図である。特に、図６Ｂは、アド／ドロップシャッフル６００によって提供される無方向のアド／ドロップの例を表わす。図６Ｂに表わされているように、特定のスイッチ設定を用いて、異なる方路ドロップポート６０２から入力される波長チャネルは同じドロップポートにルーティングされ、同じアドポート６０８からの波長は異なる方路アドポート６０４にルーティングされ得る。図６Ｂに表わされているように、第１の方路ドロップポート６１４において入力される波長チャネルは、経路６５０に沿って第１のドロップポート６１６にルーティングされる。対応する波長チャネルは第４のアドポート６４４において入力され、経路６５８に沿って第１の方路アドポート６２０にルーティングされる。第２の方路ドロップポート６２４において入力される波長チャネルは、経路６５２に沿って第１のドロップポート６１６にルーティングされる。対応する波長チャネルは第４のアドポート６４４において入力され、経路６６０に沿って第２の方路アドポート６３０にルーティングされる。
【００７３】
第３の方路ドロップポート６４０において入力される波長チャネルは、経路６５４に沿って第１のドロップポート６１６にルーティングされる。対応する波長チャネルは第４のアドポート６４４において入力され、経路６６２に沿って第３の方路アドポート６４６にルーティングされる。第４の方路ドロップポート６４２において入力される波長チャネルは、経路６５６に沿って第１のドロップポート６１６にルーティングされ、対応する波長チャネルは第４のアドポート６４４において入力され、経路６６４に沿って第４の方路アドポート６４８にルーティングされる。
【００７４】
図６Ｃは、例示の経路ルーティングを含む、例示のツインN×N CDCアド／ドロップシャッフル６００の図である。特に、図６Ｃは、アド／ドロップシャッフル６００によって提供される無競合のアド／ドロップの例を表わす。図６Ｃに表わされているように、特定のスイッチ設定を用いて、異なる方路ドロップポート６０２から受信される同じ波長チャネルは異なるドロップポート６１０にスイッチされ、異なるアドポート６０８は波長を特定の方路アドポート６０４にアドし得る。図６Ｃに表わされているように、第１の方路ドロップポート６１４において受信される波長チャネルは、経路６７０に沿って第１のドロップポート６１６にルーティングされる。さらに、波長チャネルは第１のアドポート６１８においてアドされ、経路６７２に沿って第１の方路アドポート６２０にルーティングされる。
【００７５】
第２の方路ドロップポート６２４において受信される波長チャネルは、経路６７４に沿って第３のドロップポート６２６にルーティングされる。さらに、波長チャネルは第３のアドポート６２８においてアドされ、経路６７６に沿って第２の方路アドポート６３０にルーティングされる。
【００７６】
第３の方路ドロップポート６４０において受信される波長チャネルは、経路６７８に沿って第４のドロップポート６８０にルーティングされる。さらに、波長チャネルは第４のアドポート６４４においてアドされ、経路６８２に沿って第３の方路アドポート６４６にルーティングされる。
【００７７】
第４の方路ドロップポート６４２において受信される波長チャネルは、経路６８４に沿って第２のドロップポート６８６にルーティングされる。さらに、波長チャネルは第２のアドポート６８８においてアドされ、経路６９０に沿って第４の方路アドポート６４８にルーティングされる。
【００７８】
さらに、異なるスイッチ設定は、アド／ドロップシャッフル６００の無色のアド／ドロップを提供するために使用され得る。特に、特定のスイッチ設定の下で、異なる波長チャネルは異なるアド／ドロップパターンを達成し得る。
【００７９】
図７は、スプリッター拡張７０２を含む、例示のツインN×N CDCアド／ドロップシャッフル７００の図である。特に、アド／ドロップシャッフル７００は、図６Ａ〜Ｃに表わされているアド／ドロップシャッフルと同様であり得る。アド／ドロップシャッフル７００からのドロップポート７０４は多重分離器７０６に結合される。アド／ドロップシャッフル７００からのアドポート７０８はスプリッター７１０に結合される。スプリッター７０２は1×Mスプリッターであり得る。他のいくつかの実装において、スプリッター７１０は、その代りに、高密度波長分割多重化器または可変多重化器／多重分離器、例えば、スプリッターと可変フィルタの組み合わせによって構成され得る。各々のドロップポート７０４は複数の波長を許容し、各々の波長は異なる方路ドロップからのものとし得るので、各々のドロップは、スプリッター／結合器または可変多重化器／多重分離器を通して複数の(M個の)CDCポートに拡張し得る。これは、スプリッター７０２を通してM個の色付き(colored)の無方向のポートに拡張し得る。
【００８０】
本明細書は多くの具体的な実装の詳細を含むが、これらは、いずれかの発明または特許請求され得るものの範囲についての限定として解釈されるべきでなく、むしろ、特定の発明の特定の実施例に固有であり得る特徴の説明として解釈されるべきである。別個の実施例の文脈において本明細書に記載されたある特徴は、また、単一の実施例において組み合わせて実装され得る。逆に、単一の実施例の文脈において記載された各種の特徴は、また、別個に、または、任意の適切な部分的な組み合わせで、複数の実施例において実装され得る。さらに、ある組み合わせにおける動作として上記で特徴が記載され、そのように当初は特許請求もされ得るが、特許請求された組み合わせからの１つまたは複数の特徴は、いくつかの場合において、組み合わせから削除され、特許請求された組み合わせは部分的な組み合わせ、または、部分的な組み合わせの変形に向けられ得る。
【００８１】
同様に、図面において特定の順序で動作が表わされているが、これは、所望の結果を達成するために、表わされている特定の順序または逐次的な順序で、そのような動作が実行されること、または、全ての表わされる動作が実行されることを要求していると解釈されるべきでない。ある場合において、マルチタスクおよび並列処理が効果的であり得る。さらに、上述した実施例における各種のシステムモジュールおよび構成要素の分離は、全ての実施例におけるそのような分離を要求していると解釈されるべきでなく、記載されたプログラムコンポーネントおよびシステムは、一般に、単一のソフトウェア製品において一緒に統合され、複数のソフトウェア製品にパッケージされ得ると解釈されるべきである。
【００８２】
本発明の特定の実施例が記載された。他の実施例は請求項の範囲内にある。例えば、請求項に記載された動作は、異なる順序で実行され、なおも所望の結果を達成し得る。一例として、添付図面に表わされた処理は、所望の結果を達成するために、必ずしも表わされた特定の順序または逐次的な順序を要求するとは限らない。ある実装において、マルチタスクおよび並列処理が効果的であり得る。
【符号の説明】
【００８３】
１００  N方路CDC WSX ROADM
１０２  出口ファイバー
１０４  受信器
１０６  送信器
１０８  WSX
２００  N方路WSX ROADM
２０２  N.K×N.K WSX
２０４  ツインN×M MCS
２０６  入口WSS
２０７  出口WSS
２０８  N2×N2ファイバーシャッフル
２１０  第１のN×M MCS
２１２  第２のN×M MCS
２１４  第１の入口WSS
２１６  第２の出口WSS
２１８  第３の出口WSS
２２０  第３の入口WSS
２２２  第１の出口WSS
２２４  N方路ドロップ
２２６  スプリッター
２２８  スイッチ
２３０  スイッチ
２３２  カプラー
２３４  方路アド
【図１Ａ】
2015171155.tif 000003
【図１Ｂ】
2015171155.tif 000004
【図２Ａ】
2015171155.tif 000005
【図２Ｂ】
2015171155.tif 000006
【図２Ｃ】
2015171155.tif 000007
【図３Ａ】
2015171155.tif 000008
【図３Ｂ】
2015171155.tif 000009
【図４Ａ】
2015171155.tif 000010
【図４Ｂ】
2015171155.tif 000011
【図４Ｃ】
2015171155.tif 000012
【図４Ｄ】
2015171155.tif 000013
【図４Ｅ】
2015171155.tif 000014
【図４Ｆ】
2015171155.tif 000015
【図５Ａ】
2015171155.tif 000016
【図５Ｂ】
2015171155.tif 000017
【図５Ｃ】
2015171155.tif 000018
【図５Ｄ】
2015171155.tif 000019
【図５Ｅ】
2015171155.tif 000020
【図５Ｆ】
2015171155.tif 000021
【図５Ｇ】
2015171155.tif 000022
【図６Ａ】
2015171155.tif 000023
【図６Ｂ】
2015171155.tif 000024
【図６Ｃ】
2015171155.tif 000025
【図７】
2015171155.tif 000026
【外国語明細書】
2015171155000001.pdf